(57)【要約】      （修正有）【課題】擬似餌に抱き付いたタコやイカが擬似餌後部の掛針にかかった後に、道糸を引き上げる途中でタコやイカが擬似餌本体によじ登り掛針を外すことができないような擬似餌を提供する。【解決手段】擬似餌本体１の後端部にストッパーリング１０が設けられ、掛針２に結ばれた接続糸４がストーパーリング１０に挿通された後、接続リング７に結ばれている。そして接続リング７は擬似餌本体１の中央部に設けられたヘアピン式（Ｒピン）接続部品３に係合されている。このヘアピン式（Ｒピン）接続部品３は、接続リング７が一定以上の外力により後方に引かれると、その係合が解かれる構造になっている。【選択図】図１
0003219459.tif 000002
【実用新案登録請求の範囲】
【請求項１】
擬似餌本体と前記擬似餌本体の後部に接続糸を介して設けられた掛針とから構成される擬似餌であって、
前記掛針は定常時係止手段による定常時係止位置と、
捕獲時係止手段による捕獲時係止位置とを有し、
前記捕獲時係止位置における前記掛針と前記擬似餌本体との離隔距離が、
前記定常時係止位置における前記掛針と前記擬似餌本体との離隔距離よりも大きいことを特徴とする擬似餌。
【請求項２】
前記定常時係止手段が、
擬似餌本体と前記擬似餌本体の中央部に設けられたヘアピン形状のヘアピン式（Rピン）接続部品と、
前記接続糸の前端に設けられた前記ヘアピン式（Rピン）接続部品と係合する接続リングで構成され、
前記捕獲時係止手段が、
前記擬似餌本体後部に設けられたストッパーリングと、
前記ストッパーリングに挿通された前記接続糸の前端に設けられた接続リングとで構成され、
前記接続リングの外径が前記ストッパーリングの内径よりも大きいことを特徴とする請求項１に記載の擬似餌。
【請求項３】
前記定常時係止手段が、
擬似餌本体と前記擬似餌本体の中央部に設けられたスナップ式接続部品と、
前記接続糸の前端に設けられた前記スナップ式接続部品に係合する形状を有する接続スナップから構成され、
前記捕獲時係止手段が、
前記擬似餌本体後部に設けられたストッパーリングと、
前記ストッパーリングに挿通された前記接続糸の前端に設けられた前記接続スナップとで構成され、
前記接続スナップの最大幅が前記ストッパーリングの内径よりも大きいことを特徴とする請求項１に記載の擬似餌。
【請求項４】
前記定常時係止手段が、
擬似餌本体と前記擬似餌本体の中央部に設けられたマグネット式接続部品と
前記接続糸の前端に設けられた前記マグネット式接続部に吸着される接続金属片とで構成され、
前記捕獲時係止手段が、
前記擬似餌本体後部に設けられたストッパーリングと、
前記ストッパーリングに挿通された前記接続糸の前端に設けられた前記接続金属片とで構成され、
前記接続金属片の最大幅が前記ストッパーリングの内径よりも大きいことを特徴とする請求項１に記載の擬似餌。
【考案の詳細な説明】
【技術分野】
【０００１】
本考案は、イカやタコ釣りに使用する擬似餌に関するものである。
【背景技術】
【０００２】
イカやタコ釣りに使用する擬似餌は、エビや魚の形に似せた擬似餌本体の後端部に複数本の掛針が束ねた状態で取り付けられている。
そして、海中でこの擬似餌を動かすことにより、イカやタコは擬似餌を餌と思って寄り付き、擬似餌本体に抱き付く。その後、擬似餌を引き上げることによりイカやタコが擬似餌本体後部の掛針に掛かって引き上げられる。
しかしながら、イカやタコは、一気に擬似餌に抱き付いてくるわけではなく、軽く抱き付いた場合は擬似餌の引き上げ速度によってイカやタコは異変を感じて逃げてしまうことが多い。
そこで、捕獲率を上げるために掛針が摺動可能に設けられた擬似餌（特許文献１参照）が提案されている。特許文献１の擬似餌はイカやタコが抱き付いた胴部がスライドして後方に移動することで、掛針がイカやタコに突き刺さる構造になっている。
【先行技術文献】
【特許文献】
【０００３】
【特許文献１】特開２００３−６１５１７号公報
【考案の概要】
【考案が解決しようとする課題】
【０００４】
しかしながら、特許文献１の擬似餌では、当初掛針が、イカやタコに突き刺さるものの、その後イカやタコが擬似餌本体をよじ登ることで、掛針が外れてしまうという問題があった。
【０００５】
そこで、本考案は、上記の問題点を解決すべく、捕獲率の高い擬似餌を提供することを課題としている。
【課題を解決するための手段】
【０００６】
本考案は、タコやイカに掛針が突き刺さった後に、タコやイカが擬似餌本体をよじ登ることができない構造を有する擬似餌である。
【０００７】
すなわち、第１の本考案は、擬似餌本体と擬似餌本体の後部に接続糸を介して設けられた掛針とから構成される擬似餌であって、掛針は定常時係止手段による定常時係止位置と、捕獲時係止手段による捕獲時係止位置とを有し、捕獲時係止位置における掛針と擬似餌本体との離隔距離が定常時係止位置における掛針と擬似餌本体との離隔距離よりも大きいことを特徴とする擬似餌である。
【０００８】
定常時係止位置では、接続糸を介して掛針が擬似餌本体のすぐ後の位置に配置されている。この状態でタコやイカが擬似餌本体に抱き着きタコやイカが掛針にかかった後に擬似餌を引き上げると、タコやイカの自重で掛針が定常時係止位置から捕獲時係止位置に移動する。捕獲時係止位置の掛針は、擬似餌本体から離隔されているため、タコやイカは宙吊り状態となり擬似餌本体によじ登ることができない。
【０００９】
定常時係止手段は、外力が一定以上加われば解放されるように接続糸の端部を擬似餌本体に一時固定する機能を有する。バネ力や磁力を応用することで掛針に一定以上の外力が加わると解放される定常時係止手段が実現される。
【００１０】
次に第２の本考案は、第１の本考案において、定常時係止手段が、擬似餌本体と、擬似餌本体の中央部に設けられたヘアピン形状のヘアピン式（Rピン）接続部品と、接続糸の前端に設けられた前記ヘアピン式（Rピン）接続部品と係合する接続リングで構成され、捕獲時係止手段が、擬似餌本体後部に設けられたストッパーリングと、ストッパーリングに挿通された接続糸の前端に設けられた接続リングとで構成され、接続リングの外径が前記ストッパーリングの内径よりも大きいことを特徴とする擬似餌である。
【００１１】
タコやイカが掛針にかかると、定常時係止位置にあった接続リングが後方に引っ張られて、ヘアピン式（Rピン）接続部品から外れる。そして接続リングは捕獲時係止位置であるストッパーリングの位置まで移動して止まる。捕獲時係止位置での掛針は、擬似餌本体からタコやイカの足が届かない距離に離隔される。これにより擬似餌の引き上げ時にタコやイカは擬似餌本体によじ登って、掛針を外すことができない。
【００１２】
そして第３の本考案は、第１の本考案において、定常時係止手段が、擬似餌本体と擬似餌本体の中央部に設けられたスナップ式接続部品と、接続糸の前端に設けられたスナップ式接続部品に係合する形状を有する接続スナップから構成され、捕獲時係止手段が、擬似餌本体後部に設けられたストッパーリングと、ストッパーリングに挿通された接続糸の前端に設けられた接続スナップとで構成され、接続スナップの最大幅がストッパーリングの内径よりも大きいことを特徴とする擬似餌である。
【００１３】
タコやイカが掛針にかかると、定常時係止位置にあった接続スナップが後方に引っ張られて、スナップ式接続部品から外れる。そして接続スナップは捕獲時係止位置であるストッパーリングの位置まで移動して止まる。捕獲時係止位置での掛針は、擬似餌本体からタコやイカの足が届かない距離に離隔される。これにより擬似餌の引き上げ時にタコやイカは擬似餌本体によじ登って、掛針を外すことができない。
【００１４】
続いて第４の本考案は、前記定常時係止手段が、擬似餌本体と擬似餌本体の中央部に設けられたマグネット式接続部品と、接続糸の前端に設けられたマグネット式接続部に吸着される接続金属片とで構成され、捕獲時係止手段が、擬似餌本体後部に設けられたストッパーリングと、ストッパーリングに挿通された前記接続糸の前端に設けられた接続金属片とで構成され、接続金属片の最大幅がストッパーリングの内径よりも大きいことを特徴とする擬似餌である。
【００１５】
タコやイカが掛針にかかると、定常時係止位置にあった接続金属片が後方に引っ張られて、マグネット式接続部品から外れる。そして接続金属片は捕獲時係止位置であるストッパーリングの位置まで移動して止まる。捕獲時係止位置での掛針は、擬似餌本体からタコやイカの足が届かない距離に離隔される。これにより擬似餌の引き上げ時にタコやイカは擬似餌本体によじ登って、掛針を外すことができない。
なお、接続金属片はマグネット式接続部品と異なる磁極を有する磁石であってもよい。
【考案の効果】
【００１６】
上記の基本的な構成からなる本考案は、タコやイカ等の獲物の捕獲時に、掛針が擬似餌本体から離隔されるために、捕獲後にタコやイカ等が擬似餌本体によじ登って掛針を外すことができず、獲物の捕獲率を向上させることができる。
【図面の簡単な説明】
【００１７】
【図１】図１は本考案の第１の実施形態における定常時の構造を示す図である。
【図２】図２は本考案の第１の実施形態における捕獲時の構造を示す図である。
【図３】図３は本考案の第２の実施形態における定常時の構造を示す図である。
【図４】図４は本考案の第３の実施形態における定常時の構造を示す図である。
【図５】図５はタコが擬似餌本体に抱き付いた状態を示す図である。
【図６】図６はタコが掛針にかかり、掛針が捕獲時係止位置にある状態を示す図である。
【考案を実施するための形態】
【００１８】
以下、本考案の実施の形態を図に基づいて詳細に説明する。
【実施例】
【００１９】
（第１の実施形態）
本考案の第１の実施形態について、図１及び図２に基づいて説明する。
【００２０】
図１は、本考案の第１の実施形態における定常時の構造を示す図である。擬似餌本体１の後端部にストッパーリング１０が設けられ、掛針２に結ばれた接続糸４がストーパーリング１０に挿通された後、接続リング７に結ばれている。そして接続リング７は擬似餌本体１の中央部に設けられたヘアピン式（Rピン）接続部品３に係合されている。このヘアピン式（Rピン）接続部品３は、接続リング７が一定以上の外力により後方に引かれると、その係合が解かれる構造になっている。
【００２１】
続いて図２を用いて、ストッパーリング７とヘアピン式（Rピン）接続部品３の係合が解かれた状態について説明する。図２は、本考案の第１の実施形態における捕獲時の構造を示す図である。タコやイカの自重によりストッパーリング７がヘアピン式（Rピン）接続部品３から外れると接続リング７はストッパーリング１０まで移動して止まる。結果、掛針２は掛針２にかかったタコやイカの足が擬似餌本体１に届かない位置まで後退することになる。
【００２２】
次に、図３を用いて第１の実施形態とは異なる定常時係止手段について説明する。図３は本考案の第２の実施形態における定常時の構造を示す図である。擬似餌本体１の下部中央付近にスナップ式接続部品５が設けられている。接続糸４の前端は接続スナップ８に結ばれている。接続スナップ８は櫛状の形状を有するスナップ式接続部品５と係合する形状を有し、接続スナップ８をスナップ式接続部品５に差し込むことで、掛針２を定常時固定位置に一時固定することができる。接続スナップ８が一定以上の外力で後方に引かれるとスナップ式接続部品５との係合が解かれる。
【００２３】
続いて、図４を用いて他の定常時係止手段について説明する。図４は本考案の第３の実施形態における定常時の構造を示す図である。擬似餌本体１の下部中央付近にマグネット式接続部品６が設けられている。接続糸４の前端は接続金属片９に結ばれている。マグネット式接続部品６が磁力により接続金属片９を吸着することで、掛針２を定常時係止位置に一時固定することができる。接続金属片９が一定以上の外力で後方に引かれるとマグネット式接続部品６との係合が解かれる。
【００２４】
最後に、本考案に係る擬似餌によりタコが捕獲される様子を図５と図６を用いて説明する。
図５は、タコが擬似餌本体に抱き付いた状態を示す図である。そして図６は、タコが掛針にかかり、掛針が捕獲時係止位置にある状態を示す図である。  
【００２５】
図５に示すようにタコ１１は、海中を移動する擬似餌本体１に抱き付き、その後掛針（図示省略）にかかる。その後擬似餌本体１が水面方向に引かれるとタコ１１は、水面方向に引かれる違和感から擬似餌本体１を離す。擬似餌本体１を離したタコ１１は、既に掛針にかかっているため、タコ１１の自重と擬似餌本体１が水面方向に引かれる力とで接続リング７が、ヘアピン式（Rピン）接続部品から外れてストッパーリング１０の位置で止まる。
【００２６】
タコ１１はその後、図６に示すように接続リング７と掛針を繋ぐ接続糸４とにより宙吊り状態になる。この状態になるとタコ１１は擬似餌本体１によじ登ることができず、自力でかかった掛針を外すことができない。この作用で本考案に係る擬似餌は、従来の擬似餌に比べて獲物の捕獲率を格段に向上させることができる。
【符号の説明】
【００２７】
１    擬似餌本体
２    掛針
３    ヘアピン式（Rピン）接続部品  
４    接続糸
５    スナップ式接続部品
６    マグネット式接続部品
７    接続リング
８    接続スナップ
９    接続金属片
１０  ストッパーリング
１１  タコ
【図１】
0003219459.tif 000003
【図２】
0003219459.tif 000004
【図３】
0003219459.tif 000005
【図４】
0003219459.tif 000006
【図５】
0003219459.tif 000007
【図６】
0003219459.tif 000008